(57)【要約】【課題】整備工場等で自動車のブレーキ部品に付着している摩耗ダスト等を大気中へ吹き飛ばさずに安全かつ容易に清掃、除去できる安価なブレーキ部品清掃用の防塵カバー装置を提供する。【解決手段】バッキングプレート、ブレーキドラム、ハブフランジ等々のブレーキ部品を一端側の開口１５から内部へ収容可能な硬質な中空筒状の内カバー１０と、内カバーにすっぽり被せる軟質の外カバー１１と、内カバー１０のノズル挿入口１３へノズル６を導くための漏斗状のガイド１２とからなる。内カバー１０は、清掃用のエアを噴射するノズル６を挿入可能なノズル挿入口１３に加え、側面に吸気装置１７の吸引ホース１８先端を差し込むための吸気口１９を備える。外カバーは、ノズル挿入口１３と吸気口１９とに対応可能なノズル挿通口２２とホース挿通口２３を備える。【選択図】　　　　図３
2004092777.tif 000002
【特許請求の範囲】
【請求項１】
自動車のブレーキ部品の清掃に使用する防塵装置であって、上記ブレーキ部品を一端側開口から内部へ収容可能な硬質な中空筒状の内カバーと、該内カバーに被せる軟質の外カバーとからなり、上記内カバーは、他端側に清掃用のエアを噴射するノズル端を挿入可能なノズル挿入口を備え、側面に吸気手段を接続するための吸気口を備え、上記外カバーは、上記内カバーの上記ノズル挿入口と上記吸気口と対応可能に開口を備えることを特徴とするブレーキ部品清掃用の防塵カバー装置。
【請求項２】
請求項１のブレーキ部品清掃用の防塵カバー装置において、上記外カバーの上記開口の一に装着して上記内カバーの上記ノズル挿入口へノズル端を導くための漏斗状のガイドを含むことを特徴とするブレーキ部品清掃用の防塵カバー装置。
【発明の詳細な説明】
【０００１】
【発明の属する技術分野】
本発明は、自動車整備工場等において自動車のブレーキ部品を清掃する際に使用する防塵カバー装置に関する。
【０００２】
【従来の技術及び発明が解決しようとする課題】
図１は自動車のドラムブレーキ装置の分解斜視図である。図示のドラムブレーキ装置は、バッキングプレート１の前面側にブレーキドラム２、ハブフランジ３、シュー４、ライニング５等（本明細書においてはこれらを総称するときはブレーキ部品という。）を設けて摩擦制動機構を構成している。この種のブレーキ装置ではライニング５には、例えばスチールファイバやアラミド繊維等に摩擦調整剤や結合剤等を混入して成形したものを用いており、使用によってライニング５が摩耗し、ブレーキドラム２をはじめとしてブレーキ部品に、微粉末状の摩耗ダストが付着、堆積するようになる。
【０００３】
そのため、自動車整備工場等においてブレーキ部品を点検、整備する場合、付着、堆積している摩耗ダストを除去する必要がある。従来公知の除去方法としては、図２（Ａ）に示すようにエアノズル６によって高圧空気を吹き付け、摩耗ダストを大気中に吹き飛ばす方法がある。ところが磨耗ダストにはガラス繊維やアスベストが含まれることがあるため、ライニング５等の摩耗ダストを大気中に吹き飛ばすと、整備工場内の空気が摩耗ダストで汚染され、磨耗ダストが混入した空気を作業員が吸引すると、例えばじん肺が発生するおそれが高まる。そのため高圧空気の吹き付けと同時に作業員が逃げ散る等の状況が発生している。このような状況下での作業では、もちろん作業効率が低下せざるを得ない。また工場近隣の民家に対する影響も考慮しなければならないため、整備工場内に集塵機を設置する等して汚染対策とすることも考えられるが、設備コストが高くなりすぎる上に大気中に摩耗ダストがいったんは飛散してしまうことを防止できない。
【０００４】
また図２（Ｂ）に示すように、スプレー洗剤７を用いて泡状の液体洗剤を吹き付け、摩耗ダストを洗い落とす方法もある。この方法では摩耗ダストの飛散は発生しないが、布等を用いたふき取り作業が必要になるため作業完了までに時間が掛かり、作業効率が非常に低い。したがって、近年喧伝されている４５分車検等と称する短時間での車検整備等には採用が難しい。しかも通常はスプレー洗剤７を複数本必要とするため、その購入費用が作業コストを押し上げ、安価に整備作業を提供できない。
【０００５】
本発明は上記従来の問題点にかんがみ、自動車のブレーキ部品に付着した摩耗ダストを除去する際に、除去した摩耗ダストが大気中に飛散しないようにするための安価で作業性のよいブレーキ部品清掃用の防塵装置を提供することを目的とする。
【０００６】
【課題を解決するための手段】
本発明のブレーキ部品清掃用の防塵カバー装置のうち請求項１に係るものは、上記目的を達成するために、自動車のブレーキ部品を一端側開口から内部へ収容可能な硬質な中空筒状の内カバーと、該内カバーに被せる軟質の外カバーとからなり、上記内カバーは、他端側に清掃用のエアを噴射するノズル端を挿入可能なノズル挿入口を備え、側面に吸気手段を接続するための吸気口を備え、上記外カバーは、上記内カバーの上記ノズル挿入口と上記吸気口と対応可能に開口を備えることを特徴とする。
【０００７】
同請求項２に係るものは、上記目的を達成するために、請求項１のブレーキ部品清掃用の防塵カバー装置において、上記外カバーの上記開口の一に装着して上記内カバーの上記ノズル挿入口へノズル端を導くための漏斗状のガイドを含むことを特徴とする。
【０００８】
【発明の実施の形態及び実施例】
以下、図面を参照して本発明に係るブレーキ部品清掃用の防塵装置の実施の形態及び実施例を説明する。なお、本発明の防塵装置の使用対象とするブレーキ装置としてドラムブレーキのみを図示し、説明しているが、本発明はこれに限定されず種々のブレーキ装置の部品清掃時に用いることができる。また以下の説明において、既述の従来の例等と共通する部分には共通する符号を付して説明する。
【０００９】
図３は本発明に係るブレーキ部品清掃用の防塵装置の一実施形態を示す分解斜視図である。本実施形態の防塵装置は、既述のようなブレーキ部品を収容可能で硬質の合成樹脂等の素材からなる中空筒状の内カバー１０と、内カバー１０の外側から被せる軟質の合成樹脂等の素材からなる外カバー１１及びこれも合成樹脂等の素材で形成し得るガイド１２からなる。どのような種類の合成樹脂を用いるかについてはライニング５等の摩耗ダストの性状、特性等を考慮して決定すればよく、特定の素材に限定されることはない。また内カバー１０には金属製のもの等をも用い得るが、コスト、重量、使いやすさ等から合成樹脂製のほうが好ましい。
【００１０】
内カバー１０は、図４にも示すように、一側がノズル挿入口１３付きの管状有底部１４で、他側全面を開口１５とした中空筒形状を有し、ブレーキドラム２等を開口１５側から内部に収納可能とするため、例えば高さｈが１６０ｍｍ程度、外径Ｄが３５０ｍｍ程度の大きさとしてある。管状有底部１４のノズル挿入口１３は、エアノズル６を挿入するためのものである。エアノズル６は、コンプレッサ等と接続して圧縮空気を吹き出す細い棒状のものであるので、ノズル挿入口１３は小径のものでもよいが、実作業ではエアノズル６をいろいろな向きに動かして内カバー１０内に収納した種々のブレーキ部品に対してくまなくエアを吹きつけられるようにすることが好ましいため、例えば開口径ｄ１が１５０ｍｍ程度にするとよい。なお、エアノズル６やコンプレッサ等は、自動車整備工場が一般的に備えているものでよい。
【００１１】
また内カバー１０の周壁部１６には、吸気装置１７の吸引ホース１８先端を差し込むための吸気口１９が形成してある。この吸気口１９は例えば内径ｄ２が８０ｍｍ程度にするが、その形成位置は、内カバー１０内の空気やダスト等を吸引できれば図示の場所に限定されない。吸気装置１７としては、例えば家庭用の電気掃除機等を用い得る。
【００１２】
外カバー１１は、図５（Ａ）にも示すように、例えばビニール製の袋状のもので、開口部２０側から内カバー１０をすっぽり覆い得る程度以上の大きさを有する。開口部２０の縁部にはゴム紐や弾性ベルト等２１を設けてあり、不使用状態では開口部２０がほぼ閉じるようになっている。ただし、内カバー１０をすっぽり覆い得る形状で、かつ開口部分を何らかの手段で閉じられれば図示のようなものに限定されず種々適宜の形態のものを用い得る。例えば開口部２０をゴム輪等で絞って塞ぐような方法でもよい。
【００１３】
また外カバー１１は、内カバー１０のノズル挿入口１３の位置に対応させて配置できるようにノズル挿通口２２を有し、また内カバー１０の吸気口１９の位置に対応させて配置できるようにホース挿通口２３を設けてある。ノズル挿通口２２にはガイド１２を取り付けるが、外カバー１１を使い捨てとし得るようにするためにはガイド１２を着脱可能にするとよい。もちろん、ガイド１２をノズル挿通口２２に固着してもかまわない。
【００１４】
ガイド１２は、図５（Ｂ）にも示すように、漏斗状の形状、構造を有し、筒状部分を外カバー１１のノズル挿通口２２に取り付け、上述のように内カバー１０のノズル挿入口１３へエアノズル６を導きやすくする。もちろんガイドとしては他の形状、構造でもよいが、本願発明者等が行った実験では漏斗状の形状、構造のものが作業に適していた。また硬質のものよりも軟質のもののほうが作業しやすかった。
【００１５】
本実施形態の防塵装置の使用方法を説明する。まず、図１に示すような自動車のドラムブレーキ装置を分解し、ブレーキ部品に付着、堆積している摩耗ダスト等を清掃できる状態にする。そして、例えばハブフランジ３を清掃対象品として開口１５から内カバー１０内へ入れ、外カバー１１を開口部２０側から内カバー１０に被せる。ついで外カバー１１のホース挿通口２３を内カバー１０の吸気口１９の位置に対応させて配置し、吸気装置１７の吸引ホース１８先端を取り付け、ノズル挿通口２２にガイド１２の筒状部分２４を差し込んで内カバー１０のノズル挿入口１３の位置に対応配置し、内カバー１０のノズル挿入口１３へエアノズル６を導入ガイドする。
【００１６】
そして、この状態で吸気装置１７を作動させておいてコンプレッサ等からの高圧エアをエアノズル６から噴出させ、清掃対象品であるハブフランジ３の所要、所望の個所にエアを吹き付け、付着、堆積している摩耗ダスト等を吹き飛ばす。吹き飛ばされた摩耗ダスト等は、いったん内カバー１０内で飛散するが、吸気口１９を通って内カバー１０内部に臨んでいる吸引ホース１８を介して、外カバー１１の外へ出ることなく吸気装置１７に吸引される。
【００１７】
摩耗ダスト等の吹き飛ばし、吸引完了後、エアノズル６を抜き取り、吸引ホース１８を取り外し、外カバー１１を内カバー１０から外し、内カバー１０からハブフランジ３を取り出し、要すれば次のブレーキ部品の清掃を上記と同手順で行う。ガイド１２を外カバー１１から取り外せないようにしていれば。以上で作業完了であるが、取り外せる場合は、紛失しやすいことを考慮してガイド１２を別途保管することが好ましい。なお外カバー１１は使い捨てとしてもよい。
【００１８】
【発明の効果】
本発明に係るブレーキ部品清掃用の防塵カバー装置は、以上説明してきたようなものなので、ブレーキ部品に付着している摩耗ダスト等を高圧エアの噴射等で除去する際に、ブレーキ部品から除去された摩耗ダスト等を大気中に飛散させずに回収することが作業性良く、簡単かつ安価に、しかも短時間のうちに行えるようになり、作業環境の汚染等、作業員の健康に影響を及ぼすような事態の発生も防止できるという効果がある。
【図面の簡単な説明】
【図１】自動車のドラムブレーキ装置の分解斜視図である。
【図２】従来の摩耗ダストの除去方法の例を示す斜視図である。
【図３】本発明に係るブレーキ部品清掃用の防塵装置の一実施形態を示す分解斜視図である。
【図４】図３の内カバーの構造を示す斜視図である。
【図５】図３の外カバーの構造を示す斜視図（Ａ）とエアノズルのガイドの断面図（Ｂ）である。
【符号の説明】
５　ライニング
６　エアノズル
１０　内カバー
１１　外カバー
１２　ガイド
１３　ノズル挿入口
１４　管状有底部
１５　内カバーの開口
１６　内カバーの周壁部
１７　吸気装置
１８　吸引ホース
１９　吸気口
２０　外カバーの開口部
２１　ゴム紐や弾性ベルト等
２２　ノズル挿通口
２３　ホース挿通口
２４　ガイドの筒状部分
【図１】
2004092777.tif 000003
【図２】
2004092777.tif 000004
【図３】
2004092777.tif 000005
【図４】
2004092777.tif 000006
【図５】
2004092777.tif 000007